(57)【要約】【課題】被測定水が隔膜に浸透するのに必要な流速が不足している場合においても、所要の流速を確保することにより、的確な溶存酸素計測を可能とする溶存酸素計を得る。【解決手段】下水処理場の曝気槽や、その他排水処理プロセスで用いる隔膜ポーラログラフ式の溶存酸素計により、所定方向に流れる被測定水の酸素を透過する隔膜を有する隔膜電極１により溶存酸素を計測するものにおいて、前記被測定水の流れを加速する水中プロペラ３で構成される加速手段を設けたものである。【選択図】図１
2007232658.tif 000002
【特許請求の範囲】
【請求項１】
所定方向に流れる被測定水に含まれる酸素を透過する隔膜を有する隔膜電極により溶存酸素を計測するものにおいて、前記被測定水の流れを加速する加速手段を設けたことを特徴とする溶存酸素計。
【請求項２】
前記隔膜電極の隔膜に対する前記被測定水の流れを加速するプロペラ手段を設けたことを特徴とする請求項１に記載の溶存酸素計。
【請求項３】
前記隔膜電極に対して垂直方向に強制的に前記被測定水の流れを発生させるプロペラ手段を設けたことを特徴とする請求項１または請求項２に記載の溶存酸素計。
【請求項４】
前記隔膜電極の隔膜に対して前記被測定水をジェット噴射させ前記被測定水の流れを加速するジェット噴射手段を設けたことを特徴とする請求項１から請求項３までのいずれかに記載の溶存酸素計。
【請求項５】
前記隔膜電極に対して前記被測定水を前記隔膜電極の下方からジェット噴射させ前記隔膜電極に対して垂直方向に強制的に前記被測定水の流れを発生させるジェット噴射手段を設けたことを特徴とする請求項１から請求項４までのいずれかに記載の溶存酸素計。
【請求項６】
前記被測定水中に水中ポンプを設け、前記水中ポンプの吐出流により前記隔膜電極の隔膜に対する前記被測定水の流れを加速することを特徴とする請求項１から請求項５までのいずれかに記載の溶存酸素計。
【請求項７】
前記被測定水中に水中ポンプを設け、前記水中ポンプの吐出流により前記隔膜電極に対して垂直方向に強制的に前記被測定水の流れを発生させることを特徴とする請求項１から請求項６までのいずれかに記載の溶存酸素計。
【発明の詳細な説明】
【技術分野】
【０００１】
この発明は、溶存酸素計、特に、下水処理場の曝気槽や、その他排水処理プロセスで用いられる隔膜ポーラログラフ式の溶存酸素（ＤＯ）計に関するものである。
【背景技術】
【０００２】
水中の汚濁物質が多くなると、その酸化のために酸素が消費され溶存酸素（ＤＯ）の量が減少する。そのため、水質汚濁の目安の１つとして溶存酸素（ＤＯ）計が用いられる。また、下水処理の曝気槽における好気性反応のためには一定以上の溶存酸素（ＤＯ）が必要となる。この溶存酸素（ＤＯ）計のセンサとしては、酸素透過性の隔膜を使用したポーラログラフ式隔膜電極が広く用いられている。
ポーラログラフ式隔膜電極は、被測定水中の溶存酸素（ＤＯ）が隔膜を通して内部電解液に入り、電極間に外部電圧を印加することで電気分解反応を生じる。この時、両電極間に流れる電流が溶存酸素（ＤＯ）量に比例することを利用して溶存酸素（ＤＯ）量を求める。
このため、ポーラログラフ式隔膜電極において溶存酸素（ＤＯ）量を計測するためには、被測定水中の溶存酸素（ＤＯ）が隔膜を浸透するだけの流速が必要であり、流速の影響を受けにくい隔膜に対する研究成果が報告されている（例えば、特許文献１参照）。
【０００３】
【特許文献１】特開２００２−１９５９７５４号公報
【発明の開示】
【発明が解決しようとする課題】
【０００４】
従来の隔膜ポーラログラフ式の溶存酸素（ＤＯ）計においては、前記のように流速の影響を受けにくい隔膜を選定し、応答速度を低下させることなく溶存酸素（ＤＯ）の計測が実現されている。しかし、従来の技術では被測定水溜り部の流速の影響が改善されているものの、流速の影響を全く受けないものではない。
【０００５】
この発明は、上記のような課題を解決するためになされたものであり、被測定水が隔膜に浸透するのに必要な流速が不足している場合においても、所要の流速を確保することにより、的確な溶存酸素計測を可能とする溶存酸素計を得ることを目的とする。
【課題を解決するための手段】
【０００６】
この発明に係る溶存酸素計では、所定方向に流れる被測定水に含まれる酸素を透過する隔膜を有する隔膜電極により溶存酸素を計測するものにおいて、前記被測定水の流れを加速する加速手段を設けたものである。
【発明の効果】
【０００７】
この発明によれば、被測定水が隔膜に浸透するのに必要な流速が不足している場合においても、所要の流速を確保することにより、的確な溶存酸素計測を可能とする溶存酸素計を得ることができる。
【発明を実施するための最良の形態】
【０００８】
実施の形態１．
この発明による実施の形態１を図１に基づいて説明する。図１は実施の形態１における溶存酸素計の構成を示す側面図である。
【０００９】
図１において、下水処理場の曝気槽や、その他排水処理プロセスで用いられる隔膜ポーラログラフ式の溶存酸素（ＤＯ）計の隔膜電極１を固定している電極ホルダ２にホルダ固定金具４を用いて水中プロペラ３を固定している。
隔膜電極１は、下水処理場の曝気槽や、その他排水処理プロセスにおいて、上流から下流方向へ流れる被処理水に含まれる溶存酸素を透過する隔膜を有し、被処理水中の溶存酸素を計測するように構成されている。
【００１０】
次に、動作について説明する。
隔膜電極１を固定している電極ホルダ２にホルダ固定金具４を用いて固定された水中プロペラ３を回転させることにより、隔膜電極１に対して水平方向に強制的に流速を発生させる。ポーラログラフ式隔膜電極１において溶存酸素（ＤＯ）量を計測するためには、被測定水中の溶存酸素（ＤＯ）が隔膜を浸透するだけの流速が必要であるが、この発明によれば、被測定水が隔膜に浸透するのに必要な流速が不足しているプロセスにおいても、溶存酸素（ＤＯ）計より強制的に流速を発生させることにより、溶存酸素（ＤＯ）計測が可能となる。
【００１１】
この発明による実施の形態１によれば、下水処理場の曝気槽や、その他排水処理プロセスで所定方向に流れる被測定水に含まれる酸素を透過する隔膜を有する隔膜電極１により溶存酸素を計測するものにおいて、前記隔膜電極１の隔膜に対する前記被測定水の流れを加速する水中プロペラ３からなるプロペラ手段を設けたので、被測定水が前記隔膜電極１の隔膜に浸透するのに必要な流速が不足している場合においても、所要の流速を確保することにより、的確な溶存酸素計測を可能とする溶存酸素計を得ることができる。
すなわち、下水処理場の曝気槽や、その他排水処理プロセスで用いる隔膜ポーラログラフ式の溶存酸素計において、被測定水が隔膜電極１の隔膜に浸透するのに必要な流速が不足しているプロセスにおいても、隔膜電極１に対向する部分に水中プロペラ３を設置し、槽あるいは池の上流から下流方向に強制的に流速を発生させることにより、溶存酸素計測を可能としたことを特徴とする溶存酸素計を構成するものである。
【００１２】
実施の形態２．
この発明による実施の形態２を図２に基づいて説明する。図２は実施の形態２における溶存酸素計の構成を示す側面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１３】
上記実施の形態１では、水中プロペラ３により隔膜電極１に対して水平方向の流速を発生させる場合について述べたが、この実施の形態２では、図２に示すように水中プロペラを隔膜電極１の下部に配置し、隔膜電極１に対して垂直方向の流速を発生させることにより、隔膜への浸透がさらに促進できる。
【００１４】
この発明による実施の形態２によれば、実施の形態１における構成において、前記隔膜電極１に対して垂直方向に強制的に前記被測定水の流れを発生させる水中プロペラ３からなるプロペラ手段を設けたので、被測定水が隔膜電極１の隔膜に浸透するのに必要な流速が不足している場合においても、所要の流速を確保することにより、的確な溶存酸素計測を可能とする溶存酸素計を得ることができる。
すなわち、実施の形態１に記載の隔膜ポーラログラフ式の溶存酸素計において、隔膜電極１の下方に水中プロペラ３を設置し、隔膜電極１に対して垂直方向に強制的に流速を発生させることにより、溶存酸素計測を可能としたことを特徴とする溶存酸素計を構成するものである。
【００１５】
実施の形態３．
この発明による実施の形態３を図３に基づいて説明する。図３は実施の形態３における溶存酸素計の構成を示す側面図である。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００１６】
上記実施の形態１では、水中プロペラ３により隔膜電極１に対して水平方向の流速を発生させる場合について述べたが、この実施の形態３では、図３に示すように測定箇所付近の水を一旦ポンプで吸い上げ、吸い上げた水を被測定水入口６から供給し噴射用ノズル５から隔膜電極１に対して下水処理場の曝気槽や、その他排水処理プロセスにおける上流から下流方向に向かい水平方向に被測定水を噴射することにより、実施の形態１と同様の効果が得られる。
【００１７】
この発明による実施の形態３によれば、実施の形態１または実施の形態２における構成において、前記隔膜電極１の隔膜に対して前記被測定水をジェット噴射させ前記被測定水の流れを加速する噴射用ノズル５からなるジェット噴射手段を設けたので、被測定水が隔膜電極１隔膜に浸透するのに必要な流速が不足している場合においても、所要の流速を確保することにより、的確な溶存酸素計測を可能とする溶存酸素計を得ることができる。
すなわち、実施の形態１に記載の隔膜ポーラログラフ式の溶存酸素計において、被測定水をポンプで吸い上げ隔膜電極１に噴射用ノズル５によってジェット噴射させ、槽あるいは池の上流から下流方向に強制的に流速を発生させることにより、溶存酸素計測を可能としたことを特徴とする溶存酸素計を構成するものである。
【００１８】
実施の形態４．
この発明による実施の形態４を図４に基づいて説明する。図４は実施の形態４における溶存酸素計の構成を示す側面図である。
この実施の形態４において、ここで説明する特有の構成以外の構成については、先に説明した実施の形態１から実施の形態３までのいずれかにおける構成と同一の構成内容を具備し、同様の作用を奏するものである。図中、同一符号は同一または相当部分を示す。
【００１９】
上記実施の形態１では、水中プロペラ３により隔膜電極１に対して水平方向の流速を発生させる場合について述べたが、この実施の形態４では、図４に示すように測定箇所付近の水を一旦ポンプで吸い上げ、吸い上げた水を被測定水入口６から供給し、隔膜電極１の下部に設置した噴射用ノズル５より隔膜電極１に対して垂直方向に被測定水を噴射することにより、実施の形態１〜３と同等あるいは同等以上の効果が得られる。
【００２０】
この発明による実施の形態４によれば、実施の形態１から実施の形態３までのいずれかにおける構成において、前記隔膜電極１に対して前記被測定水を前記隔膜電極１の下方からジェット噴射させ前記隔膜電極に対して垂直方向に強制的に前記被測定水の流れを発生させる噴射用ノズル５からなるジェット噴射手段を設けたので、被測定水が隔膜電極１の隔膜に浸透するのに必要な流速が不足している場合においても、所要の流速を確保することにより、的確な溶存酸素計測を可能とする溶存酸素計を得ることができる。
すなわち、実施の形態３に記載の隔膜ポーラログラフ式の溶存酸素計において、ポンプで吸い上げた被測定水を隔膜電極１の下方から噴射用ノズル５によってジェット噴射させ、隔膜電極１に対して垂直方向に強制的に流速を発生させることにより、溶存酸素計測を可能としたことを特徴とする溶存酸素計を構成するものである。
【００２１】
実施の形態５．
この発明による実施の形態５を図５に基づいて説明する。図５は実施の形態５における溶存酸素計の構成を示す側面図である。
この実施の形態５において、ここで説明する特有の構成以外の構成については、先に説明した実施の形態１から実施の形態４までのいずれかにおける構成と同一の構成内容を具備し、同様の作用を奏するものである。図中、同一符号は同一または相当部分を示す。
【００２２】
上記実施の形態１では、水中プロペラ３により隔膜電極１に対して水平方向の流速を発生させる場合について述べたが、この実施の形態５では、図５に示すように小型水中ポンプ７を用いて、小型水中ポンプ７の吐出流により隔膜電極１に対して水平方向に流速を発生させることにより、実施の形態１と同様の効果が得られる。
【００２３】
この発明による実施の形態５によれば、実施の形態１から実施の形態４までのいずれかにおける構成において、前記被測定水中に水中ポンプ７を設け、前記水中ポンプ７の吐出流により前記隔膜電極１の隔膜に対する前記被測定水の流れを加速するようにしたので、被測定水が隔膜電極１の隔膜に浸透するのに必要な流速が不足している場合においても、所要の流速を確保することにより、的確な溶存酸素計測を可能とする溶存酸素計を得ることができる。
すなわち、実施の形態１に記載の隔膜ポーラログラフ式の溶存酸素計において、隔膜電極１と対向する部分に小型水中ポンプ７を設置し、水中ポンプ７の吐出流により槽あるいは池の上流から下流方向に強制的に流速を発生させることにより、溶存酸素計測を可能としたことを特徴とする溶存酸素計を構成するものである。
【００２４】
実施の形態６．
この発明による実施の形態６を図６に基づいて説明する。図６は実施の形態６における溶存酸素計の構成を示す側面図である。
この実施の形態６において、ここで説明する特有の構成以外の構成については、先に説明した実施の形態１から実施の形態５までのいずれかにおける構成と同一の構成内容を具備し、同様の作用を奏するものである。図中、同一符号は同一または相当部分を示す。
【００２５】
上記実施の形態１では、水中プロペラ３により隔膜電極１に対して水平方向の流速を発生させる場合について述べたが、この実施の形態６では、図６に示すように小型水中ポンプ７を用いて、小型水中ポンプ７の吐出流により隔膜電極１に対して垂直方向に流速を発生させることにより、実施の形態１〜３と同等あるいは同等以上の効果が得られる。
【００２６】
この発明による実施の形態６によれば、実施の形態１から実施の形態５までのいずれかにおける構成において、前記被測定水中に水中ポンプ７を設け、前記水中ポンプ７の吐出流により前記隔膜電極１に対して垂直方向に強制的に前記被測定水の流れを発生させるようにしたので、被測定水が隔膜電極１の隔膜に浸透するのに必要な流速が不足している場合においても、所要の流速を確保することにより、的確な溶存酸素計測を可能とする溶存酸素計を得ることができる。
すなわち、実施の形態５に記載の隔膜ポーラログラフ式の溶存酸素計において、隔膜電極１の下方に小型水中ポンプ７を設置し、水中ポンプ７の吐出流により隔膜電極１に対して垂直方向に強制的に流速を発生させることにより、溶存酸素計測を可能としたことを特徴とする溶存酸素計を構成するものである。
【図面の簡単な説明】
【００２７】
【図１】この発明による実施の形態１における溶存酸素計の構成を示す側面図である。
【図２】この発明による実施の形態２における溶存酸素計の構成を示す側面図である。
【図３】この発明による実施の形態３における溶存酸素計の構成を示す側面図である。
【図４】この発明による実施の形態４における溶存酸素計の構成を示す側面図である。
【図５】この発明による実施の形態５における溶存酸素計の構成を示す側面図である。
【図６】この発明による実施の形態６における溶存酸素計の構成を示す側面図である。
【符号の説明】
【００２８】
１  隔膜電極、２  電極ホルダ、３  水中プロペラ、４  ホルダ固定金具、５  噴射用ノズル、６  被測定水入口、７  小型水中ポンプ。
【図１】
2007232658.tif 000003
【図２】
2007232658.tif 000004
【図３】
2007232658.tif 000005
【図４】
2007232658.tif 000006
【図５】
2007232658.tif 000007
【図６】
2007232658.tif 000008